(57)【要約】【課題】コスト削減及び小型化を図りつつ、輝度むらを防止して、単色表示においても十分な発光輝度を得ることのできる光学特性に優れた発光素子、照明装置、電気光学装置、電子機器を提供する。【解決手段】パッケージ２内に発光スペクトルの異なる複数の発光素子を配置してなる発光装置１であって、青色光を発光する第１ＬＥＤ３と、第１ＬＥＤ３とは逆向きで並列に接続されるとともに第１ＬＥＤ３とは異なる色の赤色光を発光する第２ＬＥＤ４と、を備えた発光素子回路を備え、発光素子回路に対して、電流の流す向きを逆向きに切り替え可能な電流供給手段を備えている。【選択図】図１
2008084967.tif 000002
【特許請求の範囲】
【請求項１】
パッケージ内に発光スペクトルの異なる複数の発光素子を配置してなる発光装置であって、
所定の色光を発光する第１の発光素子と、
該第１の発光素子とは逆向きで並列に接続されるとともに前記第１の発光素子とは異なる色の色光を発光する第２の発光素子と、を有した発光素子回路を備え、
前記発光素子回路に対して、電流の流す向きを逆向きに切り替え可能な電流供給手段を備えたことを特徴とする発光装置。
【請求項２】
前記第１の発光素子のアノード端子と前記第２の発光素子のカソード端子とが共通となって一対の入出力端子に接続され、前記第１の発光素子のカソード端子と前記第２の発光素子のアノード端子とが共通となって一対の出力端子に接続されていることを特徴とする請求項１に記載の発光装置。
【請求項３】
前記第１の発光素子が青色光を発光し、前記第２の発光素子が赤色光を発光することを特徴とする請求項１又は２に記載の発光装置。
【請求項４】
前記第１の発光素子及び前記第２の発光素子が互いに他の発光素子に対して逆向きの電流が供給されることを防止する保護機能を果たすことを特徴とする請求項１乃至３のいずれか一項に記載の発光素子。
【請求項５】
複数の前記第１の発光素子が直列に接続されているとともに、複数の前記第２の発光素子が直列に接続されて構成されていることを特徴とする請求項１乃至４のいずれか一項に記載の発光装置。
【請求項６】
前記第１の発光素子の光射出面が蛍光体で被覆されていることを特徴とする請求項１乃至５のいずれか一項に記載の発光装置。
【請求項７】
前記蛍光体は、前記第１の発光素子の前記光射出面上のみに形成され、前記第２の発光素子には形成されていないことを特徴とする請求項１乃至６のいずれか一項に記載の発光装置。
【請求項８】
前記第１の発光素子及び前記第２の発光素子が、蛍光体を含んだ樹脂により封止されることを特徴とする請求項６に記載の発光装置。
【請求項９】
請求項１乃至８のいずれかに記載の発光装置と、該発光装置から放出される光を面状の光に変換する導光板とを備えることを特徴とする照明装置。
【請求項１０】
請求項９に記載の照明装置と、該照明装置からの光を変調する光変調装置とを備えたことを特徴とする電気光学装置。
【請求項１１】
請求項１０に記載の電気光学装置を備えたことを特徴とする電子機器。
【発明の詳細な説明】
【技術分野】
【０００１】
本発明は、発光装置、照明装置、電気光学装置、電子機器に関するものである。
【背景技術】
【０００２】
現在、家庭用テレビ、ＰＣ用モニタ、その他各種の電子機器に液晶表示装置が広く用いられている。このような液晶表示装置として、点状光源又は線状光源からの光を面状の光に変換して液晶パネルに照射して表示を行なう構造の液晶表示装置が知られている。点状光源としてはＬＥＤ（Light Emitting Diode）が用いられることが多く、線状光源としては冷陰極管が用いられることが多い。最近ではこのような液晶表示装置を車両に搭載して、メーター表示や警告表示、カーナビゲーションシステムからの情報の表示などを行うために用いることが提案されてきている。
【０００３】
車両用モニタシステムに備えられる液晶表示装置では、ユーザーに対する重要な警告表示を赤色表示にて行なうようになっている。従来では、Ｒ、Ｇ、Ｂのそれぞれに対応する発光色を有する３つのＬＥＤにより所望の発光色を構成するのが通常であった。ところが、警告表示のような赤色だけによる単色表示を行う場合、他の２色は発光を抑えられるため白色表示を行う場合に比べて発光輝度が大幅に低減してしまうという問題があった。警告表示はユーザーにとって非常に重要な情報であることから、ユーザーが見落とすことのない十分な表示輝度を実現することが課題となっている。
【０００４】
このような課題を解決した液晶表示装置として、例えば、バックライトユニット内に白色ＬＥＤと赤色ＬＥＤを有しており、警告表示が必要な場合は白色ＬＥＤと赤色ＬＥＤの両方を点灯させるようにして表示輝度を確保し、表示する情報が警告でない場合には白色ＬＥＤのみを点灯させるように制御して、ＬＣＤの表示領域に警告を赤色で単色表示する表示装置が提案されている。
【特許文献１】特開２００４−７０１９３号公報
【発明の開示】
【発明が解決しようとする課題】
【０００５】
上記文献のバックライトユニットは、複数のＬＥＤが導光板の両側面に列設されて構成されており白色ＬＥＤ及び赤色ＬＥＤを交互に配置してなる。しかしながら、このようなＬＥＤの配置では光射出面内に輝度むらが生じて見栄えが悪くなる虞がある他、実装スペースも多くなり装置全体の小型化を図るのは困難である。
【０００６】
本発明は、上記課題に鑑みてなされたものであり、その目的は、コスト削減及び小型化を図りつつ、色むらを防止して、単色表示においても十分な演色性を得ることのできる光学特性に優れた発光素子、照明装置、電気光学装置、電子機器を提供する。
【課題を解決するための手段】
【０００７】
本発明の発光装置は、上記課題を解決するために、パッケージ内に発光スペクトルの異なる複数の発光素子を配置してなる発光装置であって、所定の単色光を発光する第１の発光素子と、第１の発光素子とは逆向きで並列に接続されるとともに第１の発光素子とは異なる色の単色光を発光する第２の発光素子と、を有した発光素子回路を備え、発光素子回路に対して、電流の流す向きを逆向きに切り替え可能な電流供給手段を備えたことを特徴とする。
【０００８】
このような構成によれば、電流の流す向きを逆向きに切り替えることによって発光色を変化させることができる。さらに、混色により発光色を得ている従来とは構成が異なり、それぞれ単独で発光させることから演色性もよく、色むらの発生を抑制することができる。これにより、発光効率の良い発光装置とすることができる。
【０００９】
また、第１の発光素子のアノード端子と第２の発光素子のカソード端子とが共通となって一対の入出力端子に接続され、第１の発光素子のカソード端子と第２の発光素子のアノード端子とが共通となって一対の出力端子に接続されていることが好ましい。
このような構成によれば、電流を流す端子を選択することによって、第１の発光素子或いは第２の発光素子のいずれかを選択的に駆動させることができる。
【００１０】
また、第１の発光素子が青色光を発光し、第２の発光素子が赤色光を発光することも好ましい。
このような構成によれば、駆動する発光素子を選択することで所望とする発光色を容易に得ることができる。また、蛍光体の種類には青色を変換する材料が多く存在することから、青色光を発光する発光素子を用いることで簡単に白色を作り出すことができる。さらに、赤色を発光する発光素子を用いることで鮮やかな赤を得ることができるので、車載用ディスプレイ等の警告表示に好適である。
【００１１】
また、第１の発光素子及び第２の発光素子が互いに他の発光素子に対して逆向きの電流が供給されることを防止する保護機能を果たすことも好ましい。
このような構成によれば、静電気等から逆方向の電流が流れて内部回路が損傷することを防止することができる。こうした保護機能を付与することによって、製品性能を長期的に維持することができる。
【００１２】
また、複数の第１の発光素子が直列に接続されているとともに、複数の第２の発光素子が直列に接続されて構成されていることも好ましい。
このような構成によれば、第１の発光素子及び第２の発光素子がそれぞれ複数設けられていることから、各発光素子による発光色の発光輝度が向上し、輝度むらを防止することができる。
【００１３】
また、第１の発光素子の光射出面が蛍光体で被覆されていることも好ましい。
このような構成によれば、蛍光体が、例えば青色系の光の照射に基づいて励起されることにより黄色光（緑色光）を生じ、この黄色光（緑色光）が前述の青色系の光と混合されると、補色の関係により白色光を生じることになる。よって、第１の発光素子の発光色を白色とすることができる。
【００１４】
また、蛍光体は、第１の発光素子の光射出面上のみに形成され、第２の発光素子には形成されていないことも好ましい。
このような構成によれば、第２の発光素子には蛍光体が形成されていないので、蛍光体によって変色することもなく鮮やかな赤色光を得ることができる。
【００１５】
また、第１の発光素子及び第２の発光素子が、蛍光体を含んだ樹脂により封止されることも好ましい。
このような構成によれば、従来と同様、蛍光体を含んだ樹脂をパッケージの凹部内に充填するだけで第１の発光素子上に蛍光体を設けることができることから、塗布面積の小さい第１の発光素子の光射出面上に塗布する場合に比べて製造が容易となる。
【００１６】
本発明の照明装置は、上記の発光装置と、該発光装置から放出される光を面状の光に変換する導光板とを備えることを特徴とする。
本発明の照明装置によれば高輝度の照射光を得ることができる。特に、第２の発光素子の発光色の輝度や彩度が向上し、赤色の単色光による表示輝度を確保することができる。また、パッケージ内に発光スペクトルの異なる複数の発光素子を有した発光装置を備えたことから、一つのパッケージ内で複数の色を再現することができる。よって、各色ごとに複数のパッケージを設ける必要がないので装置全体の構成が簡素化され小型化が図れるようになる。これにより、コスト削減が可能となり歩留まりが向上する。
【００１７】
本発明の電気光学装置は、上記の照明装置と、該照明装置からの光を変調する光変調装置とを備えたことを特徴とする。
本発明の電気光学装置によれば、輝度むら、色むらがなく、高品位に画像を表示することができる。
【００１８】
本発明の電子機器は、上記のような電気光学装置を備えていることを特徴とする。
本発明の電子機器によれば、高輝度な照明機能を有したものとすることができる。よってユーザーが警告表示を見逃すことなく確実に認識できるようになる。
【発明を実施するための最良の形態】
【００１９】
以下、図面を参照しながら本発明の各実施の形態について説明する。なお、以下の図面においては、図面を見やすくするため、各構成要素の膜厚や寸法の比率などは適宜異ならせてある。
【００２０】
［発光装置］
図１は本実施形態における発光装置の概略構成を示す平面図である。図２は発光装置の概略構成を示す側断面図である。図３は発光装置の内部回路図である。
図１に示すように、本実施形態の発光装置１は、発光スペクトルの異なる複数の発光素子を有しこれら発光素子をパッケージ２の凹部２ａ内に実装してなる。本実施形態においては、青色の単色光を発光する第１ＬＥＤ３（第１の発光素子）と赤色の単色光を発光する第２ＬＥＤ４（第２の発光素子）とをそれぞれ一つずつ備えている。
【００２１】
第１ＬＥＤ３は、例えばＩｎＧａＮ系またはＧａＮ系等の青色光（波長は例えば４３０〜４７０ｎｍ）を発光するツェナーダイオードで構成されている。
【００２２】
第２ＬＥＤ４は、例えばＧａＰ系，ＧａＡｌＡｓ混晶系等の赤色光（波長は例えば５８０〜７８０ｎｍ）を発光するツェナーダイオードで構成されている。
【００２３】
図２に示すように、第１ＬＥＤ３の光射出面３ａ（照射域）には、青色光を受けて他の色の蛍光を発光する蛍光体５が塗布されている。蛍光体５は、例えば青色光により励起されて黄色発光するＹＡＧ系発光体（ＹＡＧ：Ｃｅ蛍光体）を用いて構成することができる。材料としては青色光に対する補色光を発光するものを使用する。
【００２４】
蛍光体５は第１ＬＥＤ３の光射出面３ａ上に均一な厚みで形成される。蛍光体５の厚みを均一とすることにより、発光観測方向における色度のバラツキ（色むら）の少ない発光色を得ることができる。
【００２５】
図３に示すように、これら第１ＬＥＤ３及び第２ＬＥＤ４は互いに逆向きで並列に接続され発光素子回路６を構成している。そして、第１ＬＥＤ３のアノード端子及び第２ＬＥＤ４のカソード端子が共通となって一対の端子から構成される第１電流供給部７に接続され、第１ＬＥＤ３のカソード端子及び第２ＬＥＤ４のアノード端子が共通となって一対の端子から構成される第２電流供給部８に接続されている。
【００２６】
第１電流供給部７及び第２電流供給部８は発光素子回路６に対して電流の流す向きを逆方向に切替可能とする電流供給手段であって、それぞれが有する一対の端子のうちの一方が青信号用で他方が赤信号用となっている。この電流供給手段は、第１ＬＥＤ３或いは第２ＬＥＤ４に対して順電流が流れるように電流の流れる向きを変える機能を果たし、これにより発光させるＬＥＤを選択することができる。
【００２７】
詳述すると、第１電流供給部７は青信号入力端子Ａ１及び赤信号出力端子Ｃ２から構成され、第２電流供給部８は青信号出力端子Ｃ１及び赤信号入力端子Ａ２から構成されている。そして、第１電流供給部７及び第２電流供給部８はパッケージ２の両側からそれぞれ引き出されている。
【００２８】
各ＬＥＤ３，４はツェナーダイオードで構成されていることから、互いに他のＬＥＤに対して逆向きの電流が流れることを防止する保護機能を果たすようになっている。こうすることで、例えば端子を通じて流れてきた静電気が発光させようとするＬＥＤ側とは異なるＬＥＤ側へと流れたとしても、このＬＥＤに対して逆電流が流れることが防止されるので発光素子回路６を保護することができる。
【００２９】
また、第１ＬＥＤ３及び第２ＬＥＤ４は、アルミニウムや銅などの熱伝導性の良好な素材で構成されるヒートシンク（不図示）上に搭載されている。このとき、白色光を放出する第１ＬＥＤ３の方が第２ＬＥＤ４よりも放熱性が高くなるように配置される。例えば、ヒートシンクの中央に第１ＬＥＤ３を配置し、隅の方に第２ＬＥＤ４を配置することによって第１ＬＥＤ３の放熱性を高めるようにする。或いは、第１ＬＥＤ３のみヒートシンク上に搭載するようにしてもよい。
【００３０】
第１ＬＥＤ３は、後述する電子機器において、第２ＬＥＤ４よりも駆動時間が長くなることからその発熱量は第２ＬＥＤ４に比べて必然的に多くなる。そのため、第１ＬＥＤ３の放熱性を高めるよう構成することは長寿命化を図る上で重要である。
【００３１】
なお、上記実施形態においては、蛍光体５を第１ＬＥＤ３の光射出面３ａ上に直接形成するとしたが、図４に示すように、蛍光体５が混合されたシリコン樹脂９をパッケージ２の凹部２ａ内に充填し、第１ＬＥＤ３及び第２ＬＥＤ４を封止しても良い。また、図５（ａ），（ｂ）に示すように、発光装置１の光放出面１ａを覆うようにして、蛍光体５を含んだシリコンラバーからなるキャップ１０を取り付けても良い。しかしながら、第２ＬＥＤ４からの赤色光の変色を避ける意味では第１ＬＥＤ３のみに蛍光体５を設けることが好ましい。これによって第２ＬＥＤ４の輝度や彩度を低下させることなく、単色表示に適した発光光を得ることができる。
【００３２】
さらに、各ＬＥＤ３，４はそれぞれ複数設けるようにしても良い。複数の第１ＬＥＤ３を直列に接続するとともに、複数の第２ＬＥＤ４を直列に接続して構成することにより、ＬＥＤ３，４によるそれぞれの発光色の発光輝度が向上し、白色光或いは赤色光の輝度むらを防止することができる。
【００３３】
［照明装置］
図６は本実施形態に係る照明装置の一例を示す斜視図であって、図７は発光ユニットの概略構成を示す平面図である。
本実施形態の照明装置１１は、例えば液晶装置のバックライトとして用いられるもので液晶パネルの外面側に備えられる。図６に示すように、複数の発光装置１を備えてなる発光ユニット１３、発光ユニット１３からの光を面状光源に変換する導光板１４を有し、さらに光拡散シート１５、第１プリズムシート１６、第２プリズムシート１７、反射偏光板１８、反射シート１９、放熱体２０及びこれらを覆うフレーム２１を備えて構成されている。
【００３４】
発光ユニット１３は、図７に示すように、各発光装置１の出射光が他の発光装置１によって遮られることがないようそれぞれの光放出面１ａを同じ方向に向けて構成してある。このとき、発光装置１ｅの第１電流供給部７と発光装置１ｆの第１電流供給部７とが対応する青信号入力端子Ａ１同士、赤信号入力端子Ａ２同士の接続によって繋がっている。また、発光装置１ｆの第２電流供給部８と発光装置１ｇの第２電流供給部８とが、対応する青信号出力端子Ｃ１同士、赤信号入力端子Ａ２同士の接続によって繋がっている。
【００３５】
そして、発光ユニット本体１３ａから引き出された発光装置１ｅの青信号入力端子Ａ１及び赤信号出力端子Ｃ２（第２電流供給部８）と、発光装置１ｇの青信号出力端子Ｃ１及び赤信号入力端子Ａ２（第１電流供給部７）とが外部電極にそれぞれ導電接続されている。この外部電極に対して外部より供給された電力に基づいて各第１ＬＥＤ３或いは各第２ＬＥＤ４に電流が供給されることになる。
【００３６】
導光板１４は、図６に示すように、アクリル樹脂やポリカーボネート樹脂等の透光性素材よりなり、平面視矩形状の板状に構成され、一つの端面で構成される光入射面１４ａから伝搬方向Ｆに向かって光が入射し、内部を同方向に伝播するようになっている。そして、内部伝播光は除々に光出射方向（光出射面１４ｂ側）に偏光され、光出射面１４ｂから出射するように構成されている。伝搬方向Ｆに進む内部伝播光を光出射方向に偏光させる手段としては、例えば、光出射面１４ｂの反対側にある背面上に構成された凹凸構造や印刷層などがある。
【００３７】
導光板１４の背後には、白色ポリエチレンシート等よりなる反射シート１９が配置され、背面より漏光した光を光出射面１４ｂより出射させるようになっている。反射シート１９は導光板１４の端面に対しても対向して設けられていることが好ましい。
【００３８】
このような導光板１４及び発光ユニット１３は、アルミニウム等の熱伝導性の良好な放熱体２０により支持されている。放熱体２０は、発光ユニット１３及び導光板１４の背面及び側面を覆い、少なくとも光出射面１４ｂを露出させる開口部を有するケース状に構成され、これら発光ユニット１３及び導光板１４を収容するように構成されていることが好ましい。発光ユニット１３は、組立時において光放出面１ａが導光板１４の光入射面１４ａに対向するような姿勢で放熱体２０内に実装されている。このとき、熱伝導テープ、放熱グリス、熱伝導ラバー等による接着剤を介して放熱体２０の側板部２０ａの内面に固定されている。ケース状の放熱体２０により、放熱面積が増大して放熱効率が高められる。
【００３９】
光拡散シート１５は、導光板１４の光出射面１４ｂ上（液晶パネル側）に配置されている。光拡散シート１５は導光板１４からの出射光を拡散させる板形状のシート部材である。光拡散シート１５としては、拡散剤を分散させたアクリルシートなどを使用することが可能である。この光拡散シート１５により、導光板１４からの出射光の内面輝度を均一化し得るとともに、第１プリズムシート１６及び第２プリズムシート１７の溝や凹凸形状の映りこみ（輝度ムラ）を防止し得るようになっている。なお、光拡散シート１５における第１プリズムシート１６に覆われていない露出領域は、表示エリア（有効発光エリア）には入らないようになっている。
【００４０】
第１プリズムシート１６は、光拡散シート１５の上面１５ａ側に配置されている。第２プリズムシート１７は、第１プリズムシート１６の上面１６ａ側に配置されている。第１プリズムシート１６及び第２プリズムシート１７は、それぞれ、透明なアクリル樹脂などからなる平板状の板材の一面側（図示上面側）がプリズム面とされ、例えば側面三角波状の周期的な凹凸が形成されて構成されている。そして、第１プリズムシート１６及び第２プリズムシート１７は、それぞれのプリズム面における凹凸の延在方向が相互に直交する方位となるように配置されている。
【００４１】
反射偏光板１８は、第２プリズムシート１７上に配置され、導光板１４の光出射面１４ｂより出射される照明光のうち所定方位に向いた偏光軸を有する第１偏光成分を透過するとともに、所定方位と直交する第２偏光成分を反射する機能を有している。そして、上記照明光のうち第１偏光成分を透過させて放出し、第２偏光成分を反射して一旦導光板１４へ戻すが、反射シート１９等によって再び戻り、やがて第１偏光成分となったものを照明光として放出する。吸収型の偏光板を配置するよりも光の利用効率が向上して輝度レベルが高まる。
なお、この反射偏光板１８は照明光として偏光を要しない場合には省略することができる。
【００４２】
反射シート１９は、導光板１４及び発光ユニット１３の背後に配置され、白色ポリエチレンシート等よりなり、導光板１４の裏面、発光ユニット１３より漏出した光を反射させて光出射面１４ｂから出射されるようになっている。この反射シート１９は、導光板１４及び発光ユニット１３の背面及び側面を覆い、少なくとも導光板１４の光出射面１４ｂを露出させる開口部を有するケース状に構成され、導光板１４及び発光ユニット１３を収容するように形成されている。図示例の場合、発光ユニット１３は、導光板１４の光入射面１４ａに沿って所定間隔に複数配置されている。ケース状の反射シート１９により、導光板１４及び発光ユニット１３を必要に応じて適宜位置決めすることが可能となる。
【００４３】
上記の各構成部材は、反射偏光板１８側から合成樹脂やステンレス鋼等よりなるフレーム２１で覆われている。このフレーム２１は、上記各構成部材を収容した状態で放熱体２０に固定される。フレーム２１には、導光板１４の光出射面１４ｂの所定範囲に設定される照明エリアＡＬを少なくとも光学的に露出させる開口エリア２１ａが設けられている。そして、フレーム２１と放熱体２０とによって上記の各構成部材が上下方向に収容保持され、本実施形態の照明装置１１が構成される。
【００４４】
このように構成された照明装置１１によれば、図７に示す発光ユニット１３の青信号入力端子Ａ１から青信号出力端子Ｃ１に向けて電流を流した場合、第１ＬＥＤ３に対して順方向の電流（順電流）が流れることから第１ＬＥＤ３が駆動する。駆動した第１ＬＥＤ３は青色光を発光する。そして、第１ＬＥＤ３から発光される青色光が蛍光体５を通過するとき、その青色光の一部がＹＡＧ系の蛍光体５によって波長変換されて（励起して）黄色光、すなわち緑色光と赤色光との混合光、に変換され、これがＹＡＧ蛍光体５を透過して出射した青色光と混合することにより白色光が生成される。
【００４５】
この白色光は、図８の国際照明委員会（CIE: Commision Internationale de l'Eclairage）制定のマンセル色相に対する色相面積を示す標準のｘｙ色度図（但し、ｘは赤色光の波長（７００ｎｍ）、ｙは緑色光の波長（５４６ｎｍ））において、標準白（ＷＨＩＴＥ）の領域に属する。こうして得られる白色光は第１ＬＥＤ３のみで生成されるので従来の加法混色方式による場合に比してより簡易な構成で効果的に白色光を得ることができる。
【００４６】
一方、図７に示す発光ユニット１３の赤信号入力端子Ａ２から赤信号出力端子Ｃ２に電流を流した場合、第２ＬＥＤ４に対して順方向の電流（順電流）が流れることから第２ＬＥＤ４が駆動する。駆動した第２ＬＥＤ４は赤色光を発光する。第２ＬＥＤ４には蛍光体５が設けられていないので、蛍光体５の影響（変色）もなく演色性の良い鮮やかな赤色光となる。
【００４７】
こうして得られる赤色光は第２ＬＥＤ４のみで生成されるので効率よく赤色光を得ることができる。単色発光であることから色むらのない均一な発光色となる。
【００４８】
そして、上記のように第１ＬＥＤ３及び第２ＬＥＤ４から生成された光は導光板１４内に入射する。入射した光が導光板１４内を伝播して、反射シート１９による反射や、拡散シート１５による拡散により、導光板１４の光出射面１４ｂ側から出射される。
【００４９】
本実施形態の照明装置１１によれば、電流供給手段（第１電流供給部７及び第２電流供給部８）において、電流を流す端子を選択することによって第１ＬＥＤ３或いは第２ＬＥＤ４を選択的に駆動させることができる。つまり、電流の流す向きを逆向きに切り替えることで発光色を変化させることができる。混色により発光色を得ていた従来とは構成が異なり各ＬＥＤ３，４から白色光、赤色光をそれぞれ単独で発光させていることから、色むらが発生することなく演色性の良好な照射光を得ることができる。特に、赤色の輝度や彩度が向上し、単色表示の視認性を良くすることができる。このように、簡易な構成で効率よく、単色表示においても十分な演色性を有する発光光を確保することができる。また、構成の簡素化により小型化が図れるとともに低コストとなって歩留まり向上が期待できる。
【００５０】
［電気光学装置］
図９は電気光学装置の概略構成図であって、照明装置の一部を切り欠いて示した斜視図である。
本実施形態の電気光学装置は、上記構成の照明装置１１と、カラーフィルタを備えた液晶パネル２５（光変調装置）と、を備えた液晶装置１００である。液晶パネル２５は、ガラスやプラスチック等よりなる透明基板２６，２７をシール材で貼り合せてなり、対向する両基板２６，２７間に液晶を封入したものである。液晶パネル２５には偏光板２８が設けられている。通常は一対の偏光板が設けられることになるが、照明装置１１側の偏光板は照明装置１１に備えられた反射偏光板１８により代用できるため省略してある。
【００５１】
液晶パネル２５は、フレーム２１の開口エリア２１ａ（照明エリアＡＬ）上に表示領域ＡＤが重なるように配置される。液晶パネル２５には配線基板の一方の端部が実装され、この配線基板３０の他方の端部３１は照明装置１１の背後（放熱体２０の底板部２０ｂの背面上）に配置された制御回路基板３３に実装されている。この制御回路基板３３には、図示しない電気部品が実装されているが、図示を省略してある。本実施例において、配線基板３０はフレーム２１及び放熱体２０の側部の外側を通過して背面側に延在している。
【００５２】
図１０は液晶装置１００の制御系の構成を示す概略ブロック図である。この制御系には、制御回路３３Ａと、この制御回路３３Ａによって制御される液晶駆動回路２７Ａと、制御回路３３Ａによって制御される照明装置駆動回路３３Ｂとを備えている。具体的構成としては、制御回路３３Ａ及び照明装置駆動回路３３Ｂは上記制御回路基板３３に構成され、液晶駆動回路２７Ａは上記電子部品２９内に構成される。
【００５３】
制御回路３３Ａは液晶駆動回路２７Ａに制御信号を送出し、液晶駆動回路２７Ａは当該制御信号に基づいて液晶パネル２５の表示領域ＡＤ内に所定の画像を表示させる。また、制御回路３３Ａは照明装置駆動回路３３Ｂに制御信号を送出し、照明装置駆動回路３３Ｂは照明装置１１内の第１ＬＥＤ３及び第２ＬＥＤ４に対しそれぞれ独立して所定の電力を供給する。また、制御回路３３Ａは照明装置駆動回路３３Ｂに対してタイミング信号を送り、このタイミング信号に基づいて照明装置駆動回路３３Ｂが照明装置１１を駆動することで、照明装置１１の光放出特性を液晶駆動回路２７Ａによる表示駆動タイミングと同期して変化させることができるように構成される。ここで、制御回路３３Ａ及び照明装置駆動回路３３Ｂは上記の照明色制御手段を構成する。
【００５４】
本実施例では、制御回路３３Ａによる照明装置駆動回路３３Ｂを介した照明装置１１の駆動によって、照明装置１１内の異なる色の第１ＬＥＤ３及び第２ＬＥＤ４の各発光輝度をそれぞれ独立して制御することができるため、照明装置１１から液晶パネル２５へ照射される照明光の色度を最適化することができる。また、制御回路３３Ａにより照明装置１１から放出される光の色度を液晶パネル２５の表示態様に応じて制御することができるため、上記照明光の色度を表示態様と関連付けて設定したり、或いは、表示態様と関連付けて変動させたりすることで、演色性の向上や表現態様の色度範囲の拡大を図ることができる。
【００５５】
例えば、一旦液晶パネル２５を構成した後にはカラーフィルタの透過フィルタ特性を変更することはできないが、照明光の発光スペクトル分布を変更することで、表示態様の色再現特性を変化させることができるため、表示態様の演色性を設定したり向上させたりすることが可能になる。また、液晶パネル２５にカラーフィルタを設けない場合でも、照明光の発光スペクトルを変更することで、表示態様の擬似カラー化を図ること、例えば、白黒表示を赤黒表示、緑黒表示、青黒表示などに変更することができる。
【００５６】
本実施形態の液晶装置１００によれば、上記照明装置１１を備えていることから、輝度むら、色むらがなく、高品位に画像を提供することができる。
【００５７】
［電子機器］
最後に、図１１を参照して上記液晶装置を搭載した電子機器の実施形態について説明する。図１１は本発明に係る電子機器の一例の外観を示す概略斜視図である。図示例の電子機器１０００は、車載用のカーナビゲーションシステムであり、本体１０１０と、この本体１０１０に接続された表示部１０２０とを備えている。本体１０１０には操作ボタン等を配設した操作面１０１１が設けられるとともに、ＤＶＤ等の記録媒体の導入口１０１２が設けられている。表示部１０２０の内部には上記の液晶装置１００が格納され、この液晶装置１００による表示、すなわち、ナビゲーション画像の表示が表示部１０２０の表示画面１０２０ａにて視認できるように構成されている。
【００５８】
本実施形態の電子機器１０００はカーナビゲーションシステムに用いられることから、エンジン油圧不足や燃料残量不足等をユーザーに対して警告するためのウォーニング表示を行う必要がある。この電子機器１０００においては、上記の液晶装置１００が搭載されているので、図１０に示した液晶装置１００と同様の処理により表示を行う。通常表示時には照明装置１１の各第１ＬＥＤ３を点灯するように制御し、ウォーニング表示時には各第２ＬＥＤ４を点灯するようにそれぞれ制御している。このように、第１ＬＥＤ３だけの駆動で白色光を生成することができるとともに、第２ＬＥＤ４だけの駆動で赤色光を生成することができるので、混色により発光色を得ていた従来に比して、色むらが少なく演色性が良好な発光光を得ることができる。よって、ウォーニング表示に必要な赤色の発光輝度及び光強度を十分に確保することができ、ユーザーは単色表示された情報を見落とすことをなく認識することができる。
【００５９】
尚、本発明の照明装置１１、液晶装置及び電子機器は、上述の図示例にのみ限定されるものではなく、本発明の要旨を逸脱しない範囲内において種々変更を加え得ることは勿論である。例えば、上記の照明装置１１は、上述のように液晶装置に搭載されるものに限らず、単独の照明器具として用いるものであってもよく、或いは、液晶装置以外の他の種々の装置と一体的に用いられるものであってもよい。
【００６０】
さらに、第１ＬＥＤ３及び第２ＬＥＤ４は上記以外の発光色を放つＬＥＤであっても良く、目的に応じて適宜選定される。
【図面の簡単な説明】
【００６１】
【図１】本発明の実施形態に係る発光装置の概略構成を示す平面図である。
【図２】本発明の実施形態に係る発光装置の概略構成を示す側断面図である。
【図３】発光装置の内部回路図である。
【図４】他の発光装置の概略構成を示す平面図である。
【図５】他の発光装置の概略構成を示す平面図である。
【図６】本実施形態に係る照明装置の一例を示す斜視図である。
【図７】発光ユニットの概略構成を示す平面図である。
【図８】国際照明委員会（CIE: Commision Internationale de l'Eclairage）制定のマンセル色相に対する色相面積を示す標準のｘｙ色度図である。
【図９】本発明の実施形態に係る電気光学装置の概略構成図。
【図１０】本発明の実施形態に係る液晶装置の制御系の構成を示す概略ブロック図である。
【図１１】本発明に係る電子機器の一例の外観を示す概略斜視図である。
【符号の説明】
【００６２】
１…発光装置、３…第１ＬＥＤ（第１の発光装置）、４…第２ＬＥＤ（第２の発光装置）、５…蛍光体、６…発光素子回路、７…第１電流供給部（電流供給手段）、８…第２電流供給部（電流供給手段）、１１…照明装置、１００…液晶装置（電気光学装置）、１０００…電子機器
【図１】
2008084967.tif 000003
【図２】
2008084967.tif 000004
【図３】
2008084967.tif 000005
【図４】
2008084967.tif 000006
【図５】
2008084967.tif 000007
【図６】
2008084967.tif 000008
【図７】
2008084967.tif 000009
【図８】
2008084967.tif 000010
【図９】
2008084967.tif 000011
【図１０】
2008084967.tif 000012
【図１１】
2008084967.tif 000013